(57)【特許請求の範囲】
【請求項１】
用便者が便座（１０）に座るときにシートバネ（１３０）を圧縮しながら便座（１０）の下降動作を案内し、用便者が便座（１０）から立ち上がるときにシートバネ（１３０）の復元力によって便座（１０）の上昇動作を案内しながら人体を検知する人体検知部（１００、１００’）と；
前記人体検知部（１００’）の下降動作と連動して、サイフォン蓋（２０）に連結された洗浄水供給ワイヤー（３０）を引く装填力を装填部材（３４０）で保有できるようにし、前記人体検知部（１００’）の上昇動作と連動する装填解除部材（４４０）が装填部材（３４０）の保有装填力を解除させながら、洗浄水供給ワイヤー（３０）を引いてサイフォン蓋（２０）の回転で用便を洗浄する作動部（３００）と；
前記人体検知部（１００’）の下降動作と連動して洗浄水供給ワイヤー（３０）の装填力を保有するようにし、前記人体検知部（１００’）の上昇動作と連動して保有装填力を解除させる装填解除部（４００）と；
前記人体検知部（１００’）の下降動作と連動して内部の空気を排出し、前記人体検知部（１００’）の上昇動作と連動しながら、内部に吸い込まれて移動する空気量をボルト（５６０）による空気量調節フィルター（５５０）の圧縮程度で調節して作動部（３００）の作動時間を調節する調節部（５００）と；を含んでなることを特徴とする、人体荷重のみで空気の排出及び吸入制御機能を備えた水タンク用無電源自動洗浄水供給便座。
【請求項２】
用便者が便座（１０）に座るときにシートバネ（１３０）を圧縮しながら便座（１０）の下降動作を案内し、用便者が便座（１０）から立ち上がるときにシートバネ（１３０）の復元力によって便座（１０）の上昇動作を案内しながら人体を検知する人体検知部（１００、１００’）と；
前記人体検知部（１００）の下降動作と連動して、人体検知部（１００）の上昇動作が起こる前まで移動する距離によって用便者の大小便を区分する大小便区分部（２００）と；
前記人体検知部（１００’）の下降動作と連動して、サイフォン蓋（２０）に連結された洗浄水供給ワイヤー（３０）を引く装填力を装填部材（３４０）で保有できるようにし、前記人体検知部（１００’）の上昇動作と連動する装填解除部材（４４０）が装填部材（３４０）の保有装填力を解除させながら洗浄水供給ワイヤー（３０）を引いてサイフォン蓋（２０）の回転で用便を洗浄する作動部（３００）と；
前記人体検知部（１００’）の下降動作と連動して洗浄水供給ワイヤー（３０）の装填力を保有するようにし、前記人体検知部（１００’）の上昇動作と連動して保有装填力を解除させる装填解除部（４００）と；
前記人体検知部（１００’）の下降動作と連動して内部の空気を排出し、前記人体検知部（１００’）の上昇動作と連動しながら、内部に吸い込まれて移動する空気量をボルト（５６０）による空気量調節フィルター（５５０）の圧縮程度で調節して作動部（３００）の作動時間を調節する調節部（５００）と；を含んでなることを特徴とする、人体荷重のみで空気の排出及び吸入制御機能を備えた水タンク用無電源自動洗浄水供給便座。
【請求項３】
前記人体検知部（１００、１００’）は、
前記便座（１０）に穿設された通孔（１１１）に結合されて便座に装着される感知板（１１０）と；
前記便座（１０）に穿設されたフック結合孔（１２１）に結合され、前記感知板（１１０）が前記便座（１０）から分離されないようにするフック（１２０）と；
前記感知板（１１０）と前記便座（１０）との間に着され、便座（１０）を復元させるシートバネ（１３０）と；を含んでなることを特徴とする、請求項１または２に記載の人体荷重のみで空気の排出及び吸入制御機能を備えた水タンク用無電源自動洗浄水供給便座。
【請求項４】
前記作動部（３００）は、
前記人体検知部（１００’）に備えられた感知板（１１０）に装着される加圧部材（３１０）と；
前記加圧部材（３１０）の加圧に応じて便座（１０）の先端を中心に一側から他側へ回転して移動するレバー（３２０）と；
前記レバー（３２０）の回転移動に応じて装填部材（３４０）を引っ張る装填ワイヤー（３３０）と；
前記装填ワイヤー（３３０）に固定され、前記レバー（３２０）の回転に応じて洗浄水供給ワイヤー（３０）を引っ張る力を保有する装填部材（３４０）と；
前記装填部材（３４０）の移動を案内しながら、前記洗浄水供給ワイヤー（３０）が固定された装填案内部材（３５０）と；
前記装填案内部材（３５０）の移動を案内する装填ガイド部材（３６０）と；を含んでなることを特徴とする、請求項１または２に記載の人体荷重のみで空気の排出及び吸入制御機能を備えた水タンク用無電源自動洗浄水供給便座。
【請求項５】
前記装填部材（３４０）は渦巻きバネ、板バネ及びコイルバネのいずれか一つであることを特徴とする、請求項４に記載の人体荷重のみで空気の排出及び吸入制御機能を備えた水タンク用無電源自動洗浄水供給便座。
【請求項６】
前記装填案内部材（３５０）は、
前記装填部材（３４０）を収容し、前記洗浄水供給ワイヤー（３０）が固定される移動案内体（３５１）と、
前記移動案内体（３５１）の両側に突設され、前記装填ガイド部材（３６０）のガイド溝（３６２）に結合される移動案内突起（３５２）とを含んでなることを特徴とする、請求項４に記載の人体荷重のみで空気の排出及び吸入制御機能を備えた水タンク用無電源自動洗浄水供給便座。
【請求項７】
前記装填ガイド部材（３６０）は、
前記装填案内部材（３５０）を収容して前記便座（１０）に固定されるガイド本体（３６１）と、
前記ガイド本体（３６１）の内部に前記装填案内部材（３５０）の移動案内突起（３５２）が結合されて移動するガイド溝（３６２）とを含んでなることを特徴とする、請求項４に記載の人体荷重のみで空気の排出及び吸入制御機能を備えた水タンク用無電源自動洗浄水供給便座。
【請求項８】
前記装填解除部（４００）は、
前記人体検知部（１００’）に一側が固定される装填解除ワイヤー（４１０）と；
前記装填解除ワイヤー（４１０）の他側が結合され、前記装填解除ワイヤー（４１０）の緊張に応じて装填解除部材（４４０）の作動を制御する装填解除ワイヤー固定部材（４２０）と；
前記装填解除ワイヤー固定部材（４２０）及び前記装填解除ワイヤー（４１０）を弾力的に支持するように前記装填解除ワイヤー固定部材（４２０）と前記作動部（３００）に固定される装填解除ワイヤー支持部材（４３０）と；
前記装填解除ワイヤー固定部材（４２０）の移動に応じて前記作動部（３００）の前記装填案内部材（３５０）の係止状態を解除する装填解除部材（４４０）と；
前記装填解除部材（４４０）の係止状態を維持するように前記装填案内部材（３５０）に突設される装填突起（４５０）と；を含んでなることを特徴とする、請求項４に記載の人体荷重のみで空気の排出及び吸入制御機能を備えた水タンク用無電源自動洗浄水供給便座。
【請求項９】
前記装填解除ワイヤー固定部材（４２０）は、
前記装填解除ワイヤー（４１０）の他側が結合されて固定される装填解除ワイヤー固定体（４２１）と、
前記装填解除ワイヤー固定体（４２１）に突設され、前記装填解除ワイヤー（４１０）の移動に応じて前記装填解除部材（４４０）を加圧する装填解除ワイヤー突起（４２２）とを含んでなることを特徴とする、請求項８に記載の人体荷重のみで空気の排出及び吸入制御機能を備えた水タンク用無電源自動洗浄水供給便座。
【請求項１０】
前記装填解除ワイヤー突起（４２２）は傾設されることを特徴とする、請求項９に記載の人体荷重のみで空気の排出及び吸入制御機能を備えた水タンク用無電源自動洗浄水供給便座。
【請求項１１】
前記装填解除ワイヤー支持部材（４３０）は、前記装填解除ワイヤー固定部材（４２０）を引っ張るバネであることを特徴とする、請求項８に記載の人体荷重のみで空気の排出及び吸入制御機能を備えた水タンク用無電源自動洗浄水供給便座。
【請求項１２】
前記装填解除部材（４４０）は、
前記装填突起（４５０）に嵌合されるように、装填解除突起（４４２）が突出して装填ガイド部材（３６０）に装着される係止解除体（４４１）と、
前記係止解除体（４４１）の一側に前記装填解除ワイヤー固定部材（４２０）の装填解除ワイヤー突起（４２２）から加圧されるように突設される装填解除ワイヤー突起（４４３）とを含んでなることを特徴とする、請求項８に記載の人体荷重のみで空気の排出及び吸入制御機能を備えた水タンク用無電源自動洗浄水供給便座。
【請求項１３】
前記調節部（５００）は、
前記便座（１０）に固定され、空気排出孔（５１１）を有する調節体（５１０）と、
前記空気排出孔（５１１）を開閉する開閉部材（５２０）と、
前記開閉部材（５２０）の離脱を防止する離脱防止部材（５３０）と、
前記調節体（５１０）の内部に対して昇降しながら調節体（５１０）の内部空気を空気排出孔（５１１）から排出させ、前記調節体（５１０）の外部空気を吸入するように人体検知部（１００’）に固定される昇降案内部材（５４０）とを含んでなることを特徴とする、請求項１または２に記載の人体荷重のみで空気の排出及び吸入制御機能を備えた水タンク用無電源自動洗浄水供給便座。
【請求項１４】
前記昇降案内部材（５４０）に穿設された通孔（５４１）に結合され、該通孔（５４１）に吸い込まれて移動する空気の量を調節する空気量調節フィルター（５５０）と、
前記通孔（５４１）に締結され、前記空気量調節フィルター（５５０）の離脱を防止するとともに、前記空気量調節フィルター（５５０）の圧縮程度に応じて空気の移動量を調節するボルト（５６０）とをさらに含んでなることを特徴とする、請求項１３に記載の人体荷重のみで空気の排出及び吸入制御機能を備えた水タンク用無電源自動洗浄水供給便座。
【請求項１５】
前記昇降案内部材（５４０）の下降移動時間を調節して、用便者のトイレットペーパーを捨てるための時間を調節するトイレットペーパー廃棄時間調節部（５７０）をさらに含んでなることを特徴とする、請求項１３に記載の人体荷重のみで空気の排出及び吸入制御機能を備えた水タンク用無電源自動洗浄水供給便座。
【請求項１６】
前記トイレットペーパー廃棄時間調節部（５７０）は、
前記昇降案内部材（５４０）の上面に突設されるトイレットペーパータイム調節リブ（５７１）と、
前記トイレットペーパータイム調節リブ（５７１）を収容するように調節体（５１０）に設けられるリブ着脱溝（５７２）と、
前記調節体（５１０）に穿設されるトイレットペーパータイム調節孔（５７３）と、
前記トイレットペーパータイム調節孔（５７３）に結合され、前記トイレットペーパータイム調節リブ（５７１）がリブ着脱溝（５７２）に対して結合及び離脱しながら前記トイレットペーパータイム調節孔（５７３）を開閉するトイレットペーパータイム調節開閉部材（５７４）とを含んでなることを特徴とする、請求項１５に記載の人体荷重のみで空気の排出及び吸入制御機能を備えた水タンク用無電源自動洗浄水供給便座。
【請求項１７】
前記トイレットペーパータイム調節開閉部材（５７４）の復元を案内する開閉復元部材（５７５）をさらに含んでなることを特徴とする、請求項１６に記載の人体荷重のみで空気の排出及び吸入制御機能を備えた水タンク用無電源自動洗浄水供給便座。
【請求項１８】
前記トイレットペーパータイム調節孔（５７３）の端部に結合され、該トイレットペーパータイム調節孔（５７３）に吸い込まれて移動する空気の量を調節する空気量調節フィルター（５７６）と、
前記トイレットペーパータイム調節孔（５７３）に締結され、前記空気量調節フィルター（５７６）の離脱を防止するとともに、前記空気量調節フィルター（５７６）の圧縮程度に応じて空気の移動量を調節するトイレットペーパータイム調節ボルト（５７７）とをさらに含んでなることを特徴とする、請求項１６に記載の人体荷重のみで空気の排出及び吸入制御機能を備えた水タンク用無電源自動洗浄水供給便座。
【請求項１９】
前記大小便区分部（２００）は、
前記人体検知部（１００）に一側が固定されるシリンダーワイヤー（２１１）と、
前記シリンダーワイヤー（２１１）の他側が固定され、シリンダーロッド（２１３’）が結合されてシリンダー体（２１０）に結合されるロッドピン（２１３）と、
前記ロッドピン（２１３）の離脱を防止しながら前記シリンダー体（２１０）の一側に装着される第１キャップ（２１４）と、
前記シリンダー体（２１０）の他側に装着されて前記シリンダーロッド（２１３’）の移動を案内し、前記シリンダーロッド（２１３’）の移動の際にシリンダー体（２１０）の内外部へ空気の移動を案内する溝（２１４ａ）を有する第２キャップ（２１４’）と、前記第１キャップ（２１４）と前記ロッドピン（２１３）との間に装着されるシリンダーバネ（２１５）と、
前記第２キャップ（２１４’）と前記シリンダーロッド（２１３’）との間に位置するようにシリンダーロッド（２１３’）が装着されるパッキン（２１６）と、前記シリンダーバネ（２１５）の復元力で移動する前記シリンダーロッド（２１３’）によって接触部材（２１７’）の接触有無から大小便に区分する大小便切替部材（２１７）と、
前記大小便切替部材（２１７）の接触有無に応じて、トイレットペーパー廃棄時間調節部（５７０）のリブ着脱溝（５７２）に穿設された小便量調節孔（２１８）を復元部材（２２０）の復元力で開閉する小便量開閉部材（２１９）とを含んでなることを特徴とする、請求項２に記載の人体荷重のみで空気の排出及び吸入制御機能を備えた水タンク用無電源自動洗浄水供給便座。
【請求項２０】
前記シリンダーワイヤー（２１１）の移動を案内するように人体検知部（１００）に設けられたローラー（２１２）をさらに含んでなることを特徴とする、請求項１９に記載の人体荷重のみで空気の排出及び吸入制御機能を備えた水タンク用無電源自動洗浄水供給便座。
【請求項２１】
前記ロッドピン（２１３）が前記シリンダーバネ（２１５）を圧縮させながら復元される時点と前記シリンダーロッド（２１３’）が前記大小便切替部材（２１７）を加圧する時点に前記シリンダー体（２１０）の内外部の空気が連通するようにパッキン（２１６）が結合されて移動することが可能な結合溝（２１３ｂ、２１３ｂ’）をさらに含んでなることを特徴とする、請求項１９に記載の人体荷重のみで空気の排出及び吸入制御機能を備えた水タンク用無電源自動洗浄水供給便座。
【請求項２２】
前記小便量調節孔（２１８）の端部に結合され、前記小便量調節孔（２１８）に吸い込まれて移動する空気の量を調節する空気量調節フィルター（２２１）と、
前記小便量調節孔（２１８）に締結され、前記空気量調節フィルター（２２１）の離脱を防止するとともに、前記空気量調節フィルター（２２１）の圧縮程度に応じて空気の移動量を調節する小便量調節ボルト（２２２）とをさらに含んでなることを特徴とする、請求項１９に記載の人体荷重のみで空気の排出及び吸入制御機能を備えた水タンク用無電源自動洗浄水供給便座。
【請求項２３】
前記シリンダーロッド（２１３’）が結合された前記ロッドピン（２１３）の内周面に穿設された溝（２１３ａ）を介して前記シリンダー体（２１０）の内外部で移動する空気量を調節するように前記シリンダーロッド（２１３’）と前記ロッドピン（２１３）との間に装着される空気量調節フィルター（２１３ｃ）をさらに含んでなることを特徴とする、請求項１９に記載の人体荷重のみで空気の排出及び吸入制御機能を備えた水タンク用無電源自動洗浄水供給便座。
【請求項２４】
用便者が便座（１０）に座るときにシートバネ（１３０）を圧縮しながら便座（１０）の下降動作を案内し、用便者が便座（１０）から立ち上がるときに前記シートバネ（１３０）の復元力によって便座（１０）の上昇動作を案内しながら人体を検知する人体検知部（１００、１００’）と、
前記人体検知部（１００’）の下降動作と連動して、サイフォン蓋（２０）に連結された洗浄水供給ワイヤー（３０）を引く装填力を装填部材（３４０）で保有できるようにし、前記人体検知部（１００’）の上昇動作と連動する装填解除部材（４４０）が装填部材（３４０）の保有装填力を解除させながら前記洗浄水供給ワイヤー（３０）を引いてサイフォン蓋（２０）の回転によって用便を洗浄する作動部（３００）と、
前記人体検知部（１００’）の下降動作と連動して前記洗浄水供給ワイヤー（３０）の装填力を保有するようにし、前記人体検知部（１００’）の上昇動作と連動して保有装填力を解除させる装填解除部（４００）とを含んでなり、
前記人体検知部（１００、１００’）は、
前記便座（１０）に穿設された通孔（１１１）に結合されて便座に装着される感知板（１１０）と、
前記便座（１０）に穿設されたフック結合孔（１２１）に結合され、前記感知板（１１０）が前記便座（１０）から分離されないようにするフック（１２０）と、
前記感知板（１１０）と前記便座（１０）との間に装着され、前記便座（１０）を復元させシートバネ（１３０）とを含んでなることを特徴とする、水タンク用無電源自動洗浄水供給便座。
【請求項２５】
前記作動部（３００）は、
前記人体検知部（１００’）に備えられた前記感知板（１１０）に装着される加圧部材（３１０）と、
前記加圧部材（３１０）の加圧に応じて前記便座（１０）の先端を中心に一側から他側へ回転して移動するレバー（３２０）と、前記レバー（３２０）の回転移動に応じて前記装填部材（３４０）を引っ張る装填ワイヤー（３３０）と、
前記装填ワイヤー（３３０）に固定され、前記レバー（３２０）の回転に応じて前記洗浄水供給ワイヤー（３０）を引っ張る力を保有する装填部材（３４０）と、
前記装填部材（３４０）の移動を案内しながら、前記洗浄水供給ワイヤー（３０）が固定された装填案内部材（３５０）と、
前記装填案内部材（３５０）の移動を案内する装填ガイド部材（３６０）とを含んでなることを特徴とする、請求項２４に記載の水タンク用無電源自動洗浄水供給便座。
【請求項２６】
前記装填部材（３４０）は渦巻きバネ、板バネ及びコイルバネのいずれか一つであることを特徴とする、請求項２５に記載の水タンク用無電源自動洗浄水供給便座。
【請求項２７】
前記装填案内部材（３５０）は、前記装填部材（３４０）を収容し、前記洗浄水供給ワイヤー（３０）が固定される移動案内体（３５１）と、
前記移動案内体（３５１）の両側に突設され、前記装填ガイド部材（３６０）のガイド溝（３６２）に結合される移動案内突起（３５２）とを含んでなることを特徴とする、請求項２５に記載の水タンク用無電源自動洗浄水供給便座。
【請求項２８】
前記装填ガイド部材（３６０）は、
前記装填案内部材（３５０）を収容して前記便座（１０）に固定されるガイド本体（３６１）と、
前記ガイド本体（３６１）の内部に前記装填案内部材（３５０）の移動案内突起（３５２）が結合されて移動するガイド溝（３６２）とを含んでなることを特徴とする、請求項２５に記載の水タンク用無電源自動洗浄水供給便座。
【請求項２９】
前記装填解除部（４００）は、
前記人体検知部（１００’）に一側が固定される装填解除ワイヤー（４１０）と、
前記装填解除ワイヤー（４１０）の他側が結合され、前記装填解除ワイヤー（４１０）の緊張に応じて前記装填解除部材（４４０）の作動を制御する装填解除ワイヤー固定部材（４２０）と、
前記装填解除ワイヤー固定部材（４２０）及び前記装填解除ワイヤー（４１０）を弾力的に支持するように前記装填解除ワイヤー固定部材（４２０）と前記作動部（３００）に固定される装填解除ワイヤー支持部材（４３０）と、
前記装填解除ワイヤー固定部材（４２０）の移動に応じて前記作動部（３００）の前記装填案内部材（３５０）の係止状態を解除する装填解除部材（４４０）と、
前記装填解除部材（４４０）の係止状態を維持するように前記装填案内部材（３５０）に突設される装填突起（４５０）とを含んでなることを特徴とする、請求項２５に記載の水タンク用無電源自動洗浄水供給便座。
【請求項３０】
前記装填解除ワイヤー固定部材（４２０）は、
前記装填解除ワイヤー（４１０）の他側が結合されて固定される装填解除ワイヤー固定体（４２１）と、
前記装填解除ワイヤー固定体（４２１）に突設され、前記装填解除ワイヤー（４１０）の移動に応じて前記装填解除部材（４４０）を加圧する装填解除ワイヤー突起（４２２）とを含んでなることを特徴とする、請求項２９に記載の水タンク用無電源自動洗浄水供給便座。
【請求項３１】
前記装填解除ワイヤー突起（４２２）は傾設されることを特徴とする、請求項３０に記載の水タンク用無電源自動洗浄水供給便座。
【請求項３２】
前記装填解除ワイヤー支持部材（４３０）は、前記装填解除ワイヤー固定部材（４２０）を引っ張るバネであることを特徴とする、請求項２９に記載の水タンク用無電源自動洗浄水供給便座。
【請求項３３】
前記装填解除部材（４４０）は、
前記装填突起（４５０）に嵌合されるように、装填解除突起（４４２）が突出して前記装填ガイド部材（３６０）に装着される係止解除体（４４１）と、
前記係止解除体（４４１）の一側に前記装填解除ワイヤー固定部材（４２０）の装填解除ワイヤー突起（４２２）から加圧されるように突設される装填解除ワイヤー突起（４４３）とを含んでなることを特徴とする、請求項２９に記載の水タンク用無電源自動洗浄水供給便座。
【発明の詳細な説明】
【技術分野】
【０００１】
本発明は、水タンク用無電源自動洗浄水供給便座に係り、より詳細には、用便者の荷重を検知する人体検知部の昇降動作と連動してサイフォン蓋の開閉動作及び空気の吸入排出によるサイフォン蓋の開閉動作を自動的に制御することができるようにする、人体荷重のみで空気の排出及び吸入制御機能を備えた水タンク用無電源自動洗浄水供給便座、及び水タンク用無電源自動洗浄水供給便座に関する。
【背景技術】
【０００２】
一般に、便器は、家庭や建物のトイレに設置され、用便者の用便後、用便がレバーの加圧により排水される洗浄水と一緒に浄化槽へ排出されるように構成されるが、最近では、レバーの手動操作ではなく、水圧を用いて洗浄水供給が自動的に駆動されるようにする、便器の無電源自動洗浄水供給装置が、特許文献１に開示されている。
【０００３】
この先行公開特許では、便座への用便者の着座の際に、用便者の荷重で開放される水路を介して水道栓の水が作動部へ供給され、作動部に供給される水の水圧でシリンダーロッドを加圧してバネを圧縮させながら移動させるとともに、シリンダーロッドの移動距離によって用便者の大小便を判断し、用便者の脱座の際に、圧縮されたバネの復元力によってシリンダーロッドを移動させた水を洗浄水供給装置へ供給することにより、大小便に対応する洗浄水を排出して用便を洗浄した。
【０００４】
ところが、この先行公開特許は、水道栓から供給される水の水圧がバネの張力よりも弱い場合、シリンダーロッドを加圧して移動させないため、用便者の大小便を判断することができないとともに、洗浄水供給が作動しないという問題点があった。また、水道栓へ供給される水が正常水圧であっても、多数の便器で用便を同時に洗浄する場合、水圧が分散して弱くなるにつれて大便判断位置だけシリンダーロッドが前進できないため小便量の洗浄水が排出されるので、用便が残って便器が詰まったり悪臭が発生したりする原因になるのはもちろんのこと、非衛生的な問題点があった。さらに、残った用便を洗浄するために、もう一度手動でレバーを加圧して洗浄水供給を行わなければならない面倒な問題点があった。
【０００５】
さらに、水の水圧で作動する作動部の構成が複雑であって生産性が低下するという問題点や、部品の構成が多くて連結部位からの漏水が発生し、或いは水路に異物などが溜まって誤動作が発生するという問題点などがあった。
【０００６】
かかる問題点を解決するために、近年では、人体荷重のエネルギーのみで大小便を区分して便器自動洗浄水供給が可能な便座が特許文献２に開示されている。
【０００７】
この先行登録特許では、便座に着座する用便者の荷重で便座が下降しながら、第１、２装填ローラーの間隔が狭くなるにつれて装填ワイヤーの緊張力が失われるとともに装填ワイヤーに固定された装填ワイヤー固定部材は、装填バネの復元力で、洗浄水供給ワイヤーの端部が固定された洗浄水供給ワイヤー固定部材に装着された着脱部材に係止されて便座の下降で流体を加圧しながら、移動する接触部材が大小便区分判断部を加圧すると小便と判断し、シリンダーロードが大小便区分判断部を加圧すると大便と判断した状態で、用便者が便座から脱座すると、判断された大小便による通孔の開閉有無に応じて流体の移動量を調節するとともに、便座の復元で第１、２装填ローラーの間隔が広がることにより、装填ワイヤーが緊張されながら洗浄水供給ワイヤー固定部材及び洗浄水供給ワイヤーを引っ張って大小便に対応する洗浄水を便器本体に排出して用便を洗浄した。
【０００８】
しかし、先行登録特許は、便座に着座及び脱座する用便者の荷重で流体をシリンダーへ供給するときに流体の移動構造が複雑であって部品の数が増加するので、組み立てが難しいうえ、製造コストの上昇により経済性が低下するという問題点があった。
【０００９】
また、部品の連結部位を介して流体が漏れるおそれがあって維持管理が難しく、不良率が高くなり、オイルの注入量及び温度の変化による粘度差によって作動時間が異なるため誤動作が発生するのはもちろんのこと、別途装着された水路開閉弁のオン／オフエラーで水を下ろさないか或いは下ろし続けるため使用者における製品への信頼性の低下を引き起こすという問題点があった。
【先行技術文献】
【特許文献】
【００１０】
【特許文献１】韓国公開特許第１０−２０１０−００２２７８１号公報
【特許文献２】韓国登録特許第１０−１０７１９８１号公報
【発明の概要】
【発明が解決しようとする課題】
【００１１】
そこで、本発明は、上述したような従来の諸欠陥に鑑みてなされたもので、その目的は、用便者の荷重を検知する人体検知部の昇降動作と連動してサイフォン蓋の開閉動作を自動的に制御する構成を簡素化して部品数の減少による組み立ての簡便化及び製造コストの低減を図ることができるようにする、人体荷重のみで空気の排出及び吸入制御機能を備えた水タンク用無電源自動洗浄水供給便座、及び水タンク用無電源自動洗浄水供給便座を提供することにある。
【００１２】
また、本発明の他の目的は、用便者の荷重を検知する人体検知部の昇降動作と連動して空気の吸入及び排出によるサイフォン蓋の開閉動作を自動的に制御するのはもちろんのこと、大小便区分トイレットペーパータイム自動水おろし機能を実現してより容易に使用できるようにする、人体荷重のみで空気の排出及び吸入制御機能を備えた水タンク用無電源自動洗浄水供給便座、及び水タンク用無電源自動洗浄水供給便座を提供することにある。
【００１３】
また、本発明の別の目的は、吸入する空気によって自動洗浄水供給が作動するため、漏水及び温度変化による誤動作を防止するように、或いは水路及び流路上の異物などが溜まって詰まらないようにする、人体荷重のみで空気の排出及び吸入制御機能を備えた水タンク用無電源自動洗浄水供給便座、及び水タンク用無電源自動洗浄水供給便座を提供することにある。
【課題を解決するための手段】
【００１４】
本発明の人体荷重のみで空気の排出及び吸入制御機能を備えた水タンク用無電源自動水
下ろし便座は、
用便者が便座に座るときにシートバネを圧縮しながら便座の下降動作を案内し、用便者が便座から立ち上がるときにシートバネの復元力によって便座（１０）の上昇動作を案内しながら人体を検知する人体検知部と；
前記人体検知部の下降動作と連動して、サイフォン蓋に連結された洗浄水供給ワイヤーを引く装填力を装填部材で保有できるようにし、前記人体検知部の上昇動作と連動する装填解除部材が装填部材の保有装填力を解除させながら、洗浄水供給ワイヤーを引いてサイフォン蓋の回転で用便を洗浄する作動部と；
前記人体検知部の下降動作と連動して洗浄水供給ワイヤーの装填力を保有するようにし、前記人体検知部の上昇動作と連動して保有装填力を解除させる装填解除部と；
前記人体検知部の下降動作と連動して内部の空気を排出し、前記人体検知部の上昇動作と連動しながら、内部に吸い込まれて移動する空気量をボルトによる空気量調節フィルターの圧縮程度で調節して作動部の作動時間を調節する調節部と；を含んでなることを特徴とする。
【００１５】
本発明の人体荷重のみで空気の排出及び吸入制御機能を備えた水タンク用無電源自動水
下ろし便座は、
用便者が便座に座るときにシートバネを圧縮しながら便座の下降動作を案内し、用便者が便座から立ち上がるときにシートバネの復元力によって便座の上昇動作を案内しながら人
体を検知する人体検知部と；
前記人体検知部の下降動作と連動して、人体検知部の上昇動作が起こる前まで移動する距離によって用便者の大小便を区分する大小便区分部と；
前記人体検知部の下降動作と連動して、サイフォン蓋に連結された洗浄水供給ワイヤーを引く装填力を装填部材で保有できるようにし、前記人体検知部の上昇動作と連動する装填解除部材が装填部材の保有装填力を解除させながら、洗浄水供給ワイヤーを引いてサイフォン蓋の回転で用便を洗浄する作動部と；
前記人体検知部の下降動作と連動して洗浄水供給ワイヤーの装填力を保有するようにし、前記人体検知部の上昇動作と連動して保有装填力を解除させる装填解除部と；
前記人体検知部の下降動作と連動して内部の空気を排出し、前記人体検知部の上昇動作と連動しながら、内部に吸い込まれて移動する空気量をボルトによる空気量調節フィルターの圧縮程度で調節して作動部の作動時間を調節する調節部と；を含んでなることを特徴とする。
【発明の効果】
【００１６】
本発明によれば、用便者の荷重を検知する人体検知部の昇降動作と連動してサイフォン蓋の開閉動作を自動的に制御する構成を簡素化することにより、部品数の減少による組み立ての簡便化及び製造コストの低減を図って経済性を向上させるという利点を持つ。
【００１７】
また、本発明によれば、用便者の荷重を検知する人体検知部の昇降動作と連動して空気の吸入及び排出によってサイフォン蓋の開閉動作を自動的に制御するのはもちろんのこと、大小便区分トイレットペーパータイム自動洗浄水供給機能を実現してより容易に使用できるようにすることにより、使用者における製品への信頼性を向上させることができるという利点を持つ。
【００１８】
また、本発明によれば、吸入する空気によって自動洗浄水供給が作動するため、漏水や温度変化による誤動作を防止するように、或いは水路及び流路上の異物などが溜まって詰まらないようにして使用が容易であるのはもちろんのこと、製品の寿命を延長することができるという利点を持つ。
【図面の簡単な説明】
【００１９】
【図１】本発明の斜視図である。
【図２】本発明の人体検知部の分離斜視図である。
【図３】本発明の作動部と装填解除部の分離斜視図である。
【図４】本発明の調節部の分離斜視図である。
【図５】本発明の大小便区分部の分離斜視図である。
【図６】本発明の設置状態図である
【図７】本発明の便座に用便者が座るときの作動状態図である。
【図８】本発明の便座に用便者が座るときの作動状態図である。
【図９】本発明の便座に用便者が座るときの作動状態図である。
【図１０】本発明の便座に用便者が座るときの作動状態図である。
【図１１】本発明の便座に用便者が座るときの作動状態図である。
【図１２】本発明の便座に用便者が座るときの作動状態図である。
【図１３】本発明の便座に用便者が座るときの作動状態図である。
【図１４】本発明の便座に用便者が座るときの作動状態図である。
【図１５】本発明の便座に用便者が座るときの作動状態図である。
【図１６】本発明の便座に用便者が座るときの作動状態図である。
【図１７】本発明の便座に用便者が座るときの作動状態図である。
【図１８】本発明の便座から用便者が立ち上がるときの作動状態図である。
【図１９】本発明の便座から用便者が立ち上がるときの作動状態図である。
【図２０】本発明の便座から用便者が立ち上がるときの作動状態図である。
【図２１】本発明の便座から用便者が立ち上がるときの作動状態図である。
【図２２】本発明の便座から用便者が立ち上がるときの作動状態図である。
【図２３】本発明の便座から用便者が立ち上がるときの作動状態図である。
【図２４】本発明の便座から用便者が立ち上がるときの作動状態図である。
【図２５】本発明の便座から用便者が立ち上がるときの作動状態図である。
【図２６】本発明の便座から用便者が立ち上がるときの作動状態図である。
【図２７】本発明の便座から用便者が立ち上がるときの作動状態図である。
【図２８】本発明の便座から用便者が立ち上がるときの作動状態図である。
【図２９】本発明の便座から用便者が立ち上がるときの作動状態図である。
【発明を実施するための形態】
【００２０】
以下、添付図面に基づいて本発明を詳細に説明する。図１は本発明の斜視図、図２は本発明の人体検知部の分離斜視図、図３は本発明の作動部と装填解除部の分離斜視図、図４は本発明の調節部の分離斜視図、図５は本発明の大小便区分部の分離斜視図である。
【００２１】
本発明は、用便者が便座１０に座るときにシートバネ１３０を圧縮しながら便座１０の下降動作を案内し、用便者が便座１０から立ち上がるときにシートバネ１３０の復元力によって便座１０の上昇動作を案内しながら人体を検知する人体検知部１００、１００’と；前記人体検知部１００’の下降動作と連動して、サイフォン蓋２０に連結された洗浄水供給ワイヤー３０を引く装填力を装填部材３４０で保有できるようにし、前記人体検知部１００’の上昇動作と連動する装填解除部材４４０が装填部材３４０の保有装填力を解除させながら、洗浄水供給ワイヤー３０を引いてサイフォン蓋２０の回転で用便を洗浄する作動部３００と；前記人体検知部１００’の下降動作と連動して洗浄水供給ワイヤー３０の装填力を保有するようにし、前記人体検知部１００’の上昇動作と連動して保有装填力を解除させる装填解除部４００と；前記人体検知部１００’の下降動作と連動して内部の空気を排出し、前記人体検知部１００’の上昇動作と連動しながら、内部に吸い込まれて移動する空気量をボルト５６０による空気量調節フィルター５５０の圧縮程度で調節して作動部３００の作動時間を調節する調節部５００と；を含んで構成される。
【００２２】
また、本発明は、用便者が便座１０に座るときにシートバネ１３０を圧縮しながら便座１０の下降動作を案内し、用便者が便座１０から立ち上がるときにシートバネ１３０の復元力によって便座１０の上昇動作を案内しながら人体を検知する人体検知部１００、１００’と；前記人体検知部１００の下降動作と連動して、人体検知部１００の上昇動作が起こる前まで移動する距離によって用便者の大小便を区分する大小便区分部２００と；前記人体検知部１００’の下降動作と連動して、サイフォン蓋２０に連結された洗浄水供給ワイヤー３０を引く装填力を装填部材３４０で保有できるようにし、前記人体検知部１００’の上昇動作と連動する装填解除部材４４０が装填部材３４０の保有装填力を解除させながら洗浄水供給ワイヤー３０を引いてサイフォン蓋２０の回転によって用便を洗浄する作動部３００と；前記人体検知部１００’の下降動作と連動して洗浄水供給ワイヤー３０の装填力を保有するようにし、前記人体検知部１００’の上昇動作と連動して保有装填力を解除させる装填解除部４００と；前記人体検知部１００’の下降動作と連動して内部の空気を排出し、前記人体検知部１００’の上昇動作と連動しながら、内部に吸い込まれて移動する空気量をボルト５６０による空気量調節フィルター５５０の圧縮程度で調節して作動部３００の作動時間を調節する調節部５００と；を含んで構成される。
前記人体検知部１００、１００’は、前記便座１０に穿設された通孔１１１に結合されて便座に装着される感知板１１０と、前記便座１０に穿設されたフック結合孔１２１に結合され、感知板１１０が便座１０から分離されないようにするフック１２０と、前記感知板１１０と便座１０との間に装着され、便座１０を復元させるシートバネ１３０とを含んでなる。
【００２３】
前記作動部３００は、前記人体検知部１００’に備えられた感知板１１０に装着される加圧部材３１０と、前記加圧部材３１０の加圧に応じて便座１０の先端を中心に一側から他側へ回転して移動するレバー３２０と、前記レバー３２０の回転移動に応じて装填部材３４０を引っ張る装填ワイヤー３３０と、前記装填ワイヤー３３０に固定され、レバー３２０の回転に応じて洗浄水供給ワイヤー３０を引っ張る力を保有する装填部材３４０と、前記装填部材３４０の移動を案内しながら、洗浄水供給ワイヤー３０が固定された装填案内部材３５０と、前記装填案内部材３５０の移動を案内する装填ガイド部材３６０とを含んでなる。
【００２４】
前記加圧部材３１０は、前記レバー３２０を移動させることができるように外周面が湾曲または傾斜するように形成されることが好ましい。
【００２５】
前記レバー３２０の回転移動を制御する回転装填解除部材３２１をさらに含んでなる。
【００２６】
前記装填部材３４０は渦巻きバネ、板バネ及びコイルバネのいずれかであることが好ましい。
【００２７】
前記装填案内部材３５０は、前記装填部材３４０を収容しながら、洗浄水供給ワイヤー３０が固定される移動案内体３５１と、前記移動案内体３５１の両側に突出して装填ガイド部材３６０のガイド溝３６２に結合される移動案内突起３５２とを含んでなる。
【００２８】
前記装填ガイド部材３６０は、前記装填案内部材３５０を収容して便座１０に固定されるガイド本体３６１と、前記ガイド本体３６１の内部に装填案内部材３５０の移動案内突起３５２が結合されて移動するガイド溝３６２とを含んでなる。
【００２９】
前記装填解除部４００は、前記人体検知部１００’に一側が固定される装填解除ワイヤー４１０と、前記装填解除ワイヤー４１０の他側が結合されながら、装填解除ワイヤー４１０の緊張に応じて装填解除部材４４０の作動を制御する装填解除ワイヤー固定部材４２０と、前記装填解除ワイヤー固定部材４２０及び装填解除ワイヤー４１０を弾力的に支持するように装填解除ワイヤー固定部材４２０及び作動部３００に固定される装填解除ワイヤー支持部材４３０と、前記装填解除ワイヤー固定部材４２０の移動に応じて作動部３００の装填ガイド部材３６０の係止状態を解除する装填解除部材４４０と、前記装填解除部材４４０の係止状態を維持するように装填案内部材３５０に突出する装填突起４５０とを含んでなる。
【００３０】
前記装填解除ワイヤー固定部材４２０は、前記装填解除ワイヤー４１０の他側が結合されて固定される装填解除ワイヤー固定体４２１と、前記装填解除ワイヤー固定体４２１に突出して装填解除ワイヤー４１０の移動に応じて装填解除部材４４０を加圧する装填解除ワイヤー突起４２２とを含んでなる。
【００３１】
前記装填解除ワイヤー突起４２２は傾設されることが好ましい。
【００３２】
前記装填解除ワイヤー支持部材４３０は、前記装填解除ワイヤー固定部材４２０を引っ張るバネであることが好ましい。
【００３３】
前記装填解除部材４４０は、前記装填突起４５０に嵌合されるように、装填突起４５０が突出して装填ガイド部材３６０に装着される係止解除体４４１と、前記係止解除体４４１の一側に装填解除ワイヤー固定部材４２０の装填解除ワイヤー突起４２２が加圧されるように突出する装填解除突起４４２とを含んでなる。
【００３４】
前記調節部５００は、前記便座１０に固定され、空気排出孔５１１を有する調節体５１０と、前記空気排出孔５１１を開閉する開閉部材５２０と、前記開閉部材５２０の離脱を防止する離脱防止部材５３０と、前記調節体５１０の内部に対して昇降しながら調節体５１０の内部空気を空気排出孔５１１から排出させ、前記調節体５１０の外部空気を吸入するように人体検知部１００’に固定される昇降案内部材５４０とを含んでなる。
【００３５】
前記調節部５００は、前記昇降案内部材５４０に穿設された通孔５４１に結合され、該通孔５４１に吸い込まれて移動する空気の量を調節する空気量調節フィルター５５０と、前記通孔５４１に締結されて空気量調節フィルター５５０の離脱を防止し、空気量調節フィルター５５０の圧縮程度に応じて空気の移動量を調節するボルト５６０とをさらに含んでなる。
【００３６】
前記調節部５００は、前記昇降案内部材５４０の下降移動時間を調節して、用便者のトイレットペーパーを捨てるための時間を調節するトイレットペーパー廃棄時間調節部５７０をさらに含んでなり、前記トイレットペーパー廃棄時間調節部５７０は、前記昇降案内部材５４０の上面に突出するトイレットペーパータイム調節リブ５７１と、前記トイレットペーパータイム調節リブ５７１を収容するように調節体５１０に設けられるリブ着脱溝５７２と、前記調節体５１０に穿設されるトイレットペーパータイム調節孔５７３と、前記トイレットペーパータイム調節孔５７３に結合され、トイレットペーパータイム調節リブ５７１がリブ着脱溝５７２に対して結合及び離脱し、トイレットペーパータイム調節孔５７３を開閉するトイレットペーパータイム調節開閉部材５７４とを含んでなる。
【００３７】
前記トイレットペーパータイム調節開閉部材５７４の復元を案内する開閉復元部材５７５をさらに含んでなる。
【００３８】
前記トイレットペーパータイム調節孔５７３の端部に結合され、トイレットペーパータイム調節孔５７３に吸い込まれて移動する空気の量を調節する空気量調節フィルター５７６と、前記トイレットペーパータイム調節孔５７３に締結されて空気量調節フィルター５７６の離脱を防止し、空気量調節フィルター５７６の圧縮程度に応じて空気の移動量を調節するトイレットペーパータイム調節ボルト５７７とをさらに含んでなる。
【００３９】
前記大小便区分部２００は、前記人体検知部１００に一側が固定されるシリンダーワイヤー２１１と、前記シリンダーワイヤー２１１の他側が固定されながら、シリンダーロッド２１３’が結合されてシリンダー体２１０に結合されるロッドピン２１３と、前記ロッドピン２１３の離脱を防止しながら、シリンダー体２１０の一側に装着される第１キャップ２１４と、前記シリンダー体２１０の他側に装着されてシリンダーロッド２１３’の移動を案内し、前記シリンダーロッド２１３’の移動の際にシリンダー体２１０の内外部へ空気の移動を案内する溝２１４ａを有する第２キャップ２１４’と、前記第１キャップ２１４とロッドピン２１３との間に装着されるシリンダーバネ２１５と、前記第２キャップ２１４’とシリンダーロッド２１３’との間に位置するようにシリンダーロッド２１３’が装着されるパッキン２１６と、前記シリンダーバネ２１５の復元力で移動するシリンダーロッド２１３’によって接触部材２１７’の接触有無から大小便に区分する大小便切替部材２１７と、前記大小便切替部材２１７の接触有無に応じてトイレットペーパー廃棄時間調節部５７０のリブ着脱溝５７２に穿設された小便量調節孔２１８を復元部材２２０の復元力で開閉する小便量開閉部材２１９とを含んでなる。
【００４０】
前記シリンダーワイヤー２１１の移動を案内するように人体検知部１００に設けられたローラー２１２をさらに含んでなる。
【００４１】
前記ロッドピン２１３がシリンダーバネ２１５を圧縮させながら復元される時点とシリンダーロッド２１３’が大小便切替部材２１７を加圧する時点に、シリンダー体２１０の内外部の空気が連通するようにパッキン２１６が結合されて移動することが可能な結合溝２１３ｂ、２１３ｂ’をさらに含んでなる。
【００４２】
前記小便量調節孔２１８の端部に結合され、小便量調節孔２１８に吸い込まれて移動する空気の量を調節する空気量調節フィルター２２１と、前記小便量調節孔２１８に締結され、空気量調節フィルター２２１の離脱を防止するとともに空気量調節フィルター２２１の圧縮程度に応じて空気の移動量を調節する小便量調節ボルト２２２とをさらに含んでなる。
【００４３】
前記シリンダーロッド２１３’が結合されたロッドピン２１３の内周面に設けられた溝２１３ａを介してシリンダー体２１０の内外部で移動する空気量を調節するようにシリンダーロッド２１３’とロッドピン２１３との間に装着される空気量調節フィルター２１３ｃをさらに含んでなる。
【００４４】
また、本発明は、用便者が便座１０に座るときにシートバネ１３０を圧縮しながら便座１０の下降動作を案内し、用便者が便座１０から立ち上がるときにシートバネ１３０の復元力によって便座１０の上昇動作を案内しながら人体を検知する人体検知部１００、１００’と、前記人体検知部１００’の下降動作と連動して、サイフォン蓋２０に連結された洗浄水供給ワイヤー３０を引く装填力を装填部材３４０で保有できるようにし、前記人体検知部１００’の上昇動作と連動する装填解除部材４４０が装填部材３４０の保有装填力を解除させながら洗浄水供給ワイヤー３０を引いてサイフォン蓋２０の回転で用便を洗浄する作動部３００と、前記人体検知部１００’の下降動作と連動して洗浄水供給ワイヤー３０の装填力を保有するようにし、前記人体検知部１００’の上昇動作と連動して保有装填力を解除させる装填解除部４００とを含んで構成される。
【００４５】
前記人体検知部１００、１００’は、前記便座１０に穿設された通孔１１１に結合されて便座に装着される感知板１１０と、前記便座１０に穿設されたフック結合孔１２１に結合され、感知板１１０が便座１０から分離されないようにするフック１２０と、前記感知板１１０と便座１０との間に装着され、便座１０を復元させるシートバネ１３０とを含んでなる。
【００４６】
前記作動部３００は、前記人体検知部１００’に備えられた感知板１１０に装着される加圧部材３１０と、前記加圧部材３１０の加圧に応じて便座１０の先端を中心に一側から他側へ回転して移動するレバー３２０と、前記レバー３２０の回転移動に応じて装填部材３４０を引っ張る装填ワイヤー３３０と、前記装填ワイヤー３３０に固定され、レバー３２０の回転に応じて洗浄水供給ワイヤー３０を引っ張る力を保有する装填部材３４０と、前記装填部材３４０の移動を案内し、洗浄水供給ワイヤー３０が固定された装填案内部材３５０と、前記装填案内部材３５０の移動を案内する装填ガイド部材３６０とを含んでなる。
【００４７】
前記加圧部材３１０は、前記レバー３２０を移動させることができるように外周面が湾曲または傾斜して設けられることが好ましい。
【００４８】
前記レバー３２０の回転移動を制御する回転装填解除部材３２１をさらに含んでなる。
【００４９】
前記装填部材３４０は渦巻きバネ、板バネ及びコイルバネのいずれか一つであることが好ましい。
【００５０】
前記装填案内部材３５０は、前記装填部材３４０を収容しながら、洗浄水供給ワイヤー３０が固定される移動案内体３５１と、前記移動案内体３５１の両側に突設され、装填ガイド部材３６０のガイド溝３６２に結合される移動案内突起３５２とを含んでなる。
【００５１】
前記装填ガイド部材３６０は、前記装填案内部材３５０を収容して便座１０に固定されるガイド本体３６１と、前記ガイド本体３６１の内部に装填案内部材３５０の移動案内突起３５２が結合されて移動するガイド溝３６２とを含んでなる。
【００５２】
前記装填解除部４００は、前記人体検知部１００’に一側が固定される装填解除ワイヤー４１０と、前記装填解除ワイヤー４１０の他側が結合され、装填解除ワイヤー４１０の緊張に応じて装填解除部材４４０の作動を制御する装填解除ワイヤー固定部材４２０と、前記装填解除ワイヤー固定部材４２０及び装填解除ワイヤー４１０を弾力的に支持するように装填解除ワイヤー固定部材４２０と作動部３００に固定される装填解除ワイヤー支持部材４３０と、前記装填解除ワイヤー固定部材４２０の移動に応じて作動部３００の装填ガイド部材３６０の係止状態を解除する装填解除部材４４０と、前記装填解除部材４４０の係止状態を維持するように装填案内部材３５０に突設される装填突起４５０とを含んでなる。
【００５３】
前記装填解除ワイヤー固定部材４２０は、前記装填解除ワイヤー４１０の他側が結合されて固定される装填解除ワイヤー固定体４２１と、前記装填解除ワイヤー固定体４２１に突設され、装填解除ワイヤー４１０の移動に応じて装填解除部材４４０を加圧する装填解除ワイヤー突起４２２とを含んでなる。
【００５４】
前記装填解除ワイヤー突起４２２は傾設されることが好ましい。
【００５５】
前記装填解除ワイヤー支持部材４３０は、前記装填解除ワイヤー固定部材４２０を引っ張るバネであることが好ましい。
【００５６】
前記装填解除部材４４０は、前記装填突起４５０に嵌合されるように、装填突起４５０が突出して装填ガイド部材３６０に装着される係止解除体４４１と、前記係止解除体４４１の一側に装填解除ワイヤー固定部材４２０の装填解除ワイヤー突起４２２が加圧するように突設される装填解除突起４４２とを含んでなる。
【００５７】
以下、このように構成された本発明を詳細に説明する。
【００５８】
まず、本発明は、人体検知部１００、１００’、作動部３００及び装填解除部４００のみでも作動し、人体検知部１００、１００’、作動部３００、装填解除部４００及び調節部５００のみで作動するが、下記では人体検知部１００、１００’、大小便区分部２００、作動部３００、装填解除部４００及び調節部５００を含む構成に限定して説明する。
【００５９】
図６に示すように、便座１０に人体検知部１００、１００’、作動部３００、装填解除部４００、調節部５００及び大小便区分部２００を設置するが、前記作動部３００は、装填解除部４００によって制御されるように設置した後、前記便座１０を便器本体１１の上面に装着させながら前記作動部３００とサイフォン蓋２０とを洗浄水供給ワイヤー３０で連結する。
【００６０】
この状態で用便者が便座１０に座ると、図７及び図８に示すように、用便者の荷重によって便座１０が下方に移動しながら、便座１０に穿設された人体検知部１００、１００’の通孔１１１及びフック結合孔１２１へ感知板１１０の突起１１０’及びフック１２０が突出するとともに、前記便座１０と感知板１１０との間に位置したシートバネ１３０を圧縮させる。
【００６１】
また、前記便座１０と感知板１１０との間のシートバネ１３０を圧縮すると、図９〜図１３に示すように、前記人体検知部１００に一側が固定された大小便区分部２００のシリンダーワイヤー２１１は便座１０と人体検知部１００との間隔が狭くなるにつれてその緊張力が失われ、緊張力の失われたシリンダーワイヤー２１１はシリンダーバネ２１５の圧縮された復元力でローラー２１２を回転させながらロッドピン２１３及びシリンダーロッド２１３’をシリンダー体２１０の他側へ移動させる。
【００６２】
前記シリンダーバネ２１５は、シリンダー体２１０の一側に装着された第１キャップ２１４とロッドピン２１３との間に装着され、圧縮された復元力によってロッドピン２１３を加圧することができ、前記シリンダーロッド３１３’は、シリンダー体２１０の他側に装着された第２キャップ２１４’を介して突出する。
【００６３】
この際、前記シリンダーロッド２１３’の移動によってパッキン２１６が結合溝２１３ｂ’を通過しながら結合溝２１３ｂの方向に移動するとき、第２キャップ２１４’の内周面と溝２１４ａを閉鎖させて空気の流入を遮断するとともに、前記シリンダーロッド２１３’の移動で第１キャップ２１４を介してシリンダー体２１０の内部に流入する空気はロッドピン２１３とシリンダーロッド２１３’との間に装着された空気量調節フィルター２１３ｃの圧縮程度に応じて空気の移動量を調節することができるので、シリンダーロッド２１３’の移動速度を調節することができる。
【００６４】
前記シリンダーバネ２１５の復元力によって移動するシリンダーロッド２１３’が大小便切替部材２１７を加圧することができないため、大小便切替部材２１７に内蔵された接触部材２１７ａと小便量調節孔２１８に内蔵された接触部材２１７ｂとが接触している場合には、小便と判断し、前記シリンダーロッド２１３’が移動して大小便切替部材２１７を加圧して大小便切替部材２１７内の接触部材２１７ａと小便量調節孔２１８内の接触部材２１７ｂが離隔する場合には、大便と判断する。これは、接触部材２１７ａ、２１７ｂの接触／離隔に応じて小便量開閉部材２１９が復元部材２２０の復元力で移動しながら小便量調節孔２１８の開放面積を開閉して用便者が便座１０から立ち上がると、調節体５１０に吸い込まれて移動する空気の量を調節するためである。
【００６５】
また、図１４及び図１５に示すように、前記人体検知部１００’の感知板１１０に装着された作動部３００の加圧部材３１０が便座１０の内部に突出すると同時に、前記加圧部材３１０はレバー３２０を加圧する。
【００６６】
このとき、前記加圧部材３１０は、外周面が湾曲または傾斜するように形成され、レバー３２０を加圧して移動させることができ、前記加圧部材３１０の加圧に応じて、前記レバー３２０は、先端を中心に一側から他側へ回転して移動する。
【００６７】
ここで、前記レバー３２０は、前記レバー３２０を収容して便座１０に固定された回転
装填解除部材３２１内でのみ回転することができる。
【００６８】
前記レバー３２０の回転移動に応じてレバー３２０と装填部材３４０とを連結した装填ワイヤー３３０を引いて装填するとともに、前記装填ワイヤー３３０は装填部材３４０を引っ張るが、前記装填部材３４０は渦巻きバネ、板バネ及びコイルバネのいずれか一つを使用することができる。
【００６９】
前記装填部材３４０が伸びるときに前記装填部材３４０の移動を案内する装填案内部材３５０は、装填解除部材４４０の装填解除突起４４２が、装填案内部材３５０に突設された装填突起４５０に係止されているので、装填部材３４０のみ伸びながら洗浄水供給ワイヤー３０の装填力を保有するようになる。
【００７０】
また、図１６に示すように、前記人体検知部１００’に一側が固定された装填解除部４００の装填解除ワイヤー４１０は、便座１０と人体検知部１００’との間隔が狭くなるにつれてその緊張力が失われると、装填ガイド部材３６０と装填解除ワイヤー固定部材４２０とを連結した装填解除ワイヤー支持部材４３０の復元力で装填解除ワイヤー固定部材４２０の装填解除ワイヤー固定体４２１と装填解除ワイヤー４１０を引いて装填解除ワイヤー４１０の緊張力が維持されるようにする。
【００７１】
ここで、前記装填解除ワイヤー支持部材４３０の復元力で引かれる装填解除ワイヤー固定部材４２０の装填解除ワイヤー固定体４２１は、装填解除ワイヤー支持部材４３０の方向に移動しながら、装填解除ワイヤー固定体４２１に突設された装填解除ワイヤー突起４２２が装填解除部材４４０の装填解除ワイヤー突起４４３に密着するとともに、この状態でも装填解除ワイヤー支持部材４３０の復元力で装填解除ワイヤー固定体４２１が装填解除ワイヤー支持部材４３０の方向に移動しながら装填解除ワイヤー突起４２２が装填解除ワイヤー突起４４３に沿って上方に移動し、前記装填解除ワイヤー突起４２２が装填解除ワイヤー突起４４３を通過すると、自重で再び下方に移動して装填解除ワイヤー突起４４３の後方に装填解除ワイヤー突起４２２が位置するようになる。
【００７２】
また、図１３及び図１７に示すように、便座１０と人体検知部１００’との間隔が狭くなるにつれて、人体検知部１００’に固定された調節部５００の昇降案内部材５４０が調節体５１０の内側上端部へ移動しながら調節体５１０の内部空気を圧縮させると同時に、圧縮された空気が開閉部材５２０を加圧して開放される空気排出孔５１１に通過した後、離脱防止部材５３０を介して外部へ排出される。
【００７３】
前記昇降案内部材５４０が調節体５１０の内側上端部へ移動しながら、昇降案内部材５４０の上面に突設されたトイレットペーパー廃棄時間調節部５７０のトイレットペーパータイム調節リブ５７１がリブ着脱溝５７２に結合されることにより、昇降案内部材５４０が調節体５１０の内側上端部へ移動してトイレットペーパータイム調節開閉部材５７４を加圧すると同時に、トイレットペーパータイム調節開閉部材５７４は、開閉復元部材５７５を圧縮させながら調節体５１０の内側上端部へ移動してトイレットペーパータイム調節孔５７３を開放させ、開放したトイレットペーパータイム調節孔５７３を介して調節体５１０内の空気が外部へ排出される。
【００７４】
前記トイレットペーパータイム調節リブ５７１がリブ着脱溝５７２に結合されるとき、リブ着脱溝５７２の内部空気は、小便量調節孔２１８を介して調節体５１０の外部へ排出される。ところが、前記小便量調節孔２１８を小便量開閉部材２１９が復元部材２２０の復元力で閉鎖させてはいるが、リブ着脱溝５７２内の空気圧力が高くなるにつれて小便量開閉部材２１９と復元部材２２０を押し出して小便量調節孔２１８を開放するとともに、小便量調節孔２１８には空気案内溝２１８’が設けられており、小便量開閉部材２１９が小便量調節孔２１８に結合された状態でもリブ着脱溝５７２の内部空気を外部へ排出させることができる。
【００７５】
ここで、前記トイレットペーパータイム調節孔５７３と小便量調節孔２１８から排出される空気は、トイレットペーパータイム調節孔５７３と小便量調節孔２１８に空気量調節フィルター５７６、２２１が取り付けられており、トイレットペーパータイム調節孔５７３と小便量調節孔２１８に締結されるトイレットペーパータイム調節ボルト５７７と小便量調節ボルト２２２による空気量調節フィルター５７６、２２１の圧縮程度に応じて空気の移動量を調節することができる。
【００７６】
前記便座１０に座った用便者の用便後、用便者が便座１０から立ち上がると、図１８に示すように、人体検知部１００、１００’のシートバネ１３０の復元力で便座１０と人体検知部１００、１００’との間隔が広くなると同時に、図１９及び図２０に示すように、人体検知部１００’に固定された昇降案内部材５４０が調節体５１０の内側下端部へ移動しながら調節体５１０の内部圧力が低くなり、これにより調節体５１０が外部の空気を吸入する。
【００７７】
この際、前記調節体５１０の空気排出孔５１１は、開閉部材５２０によって閉鎖されているので、外部の空気を吸入することができず、調節体５１０の上面に突設されたトイレットペーパータイム調節リブ５７１がリブ着脱溝５７２の下端部へ移動しながら小便量調節孔２１８、トイレットペーパータイム調節孔５７３及び通孔５４１を介して外部の空気を吸入するが、前記小便量調節孔２１８、通孔５４１及びトイレットペーパータイム調節孔５７３は、小便量調節ボルト２２２、ボルト５６０及びトイレットペーパータイム調節ボルト５７７によって空気量調節フィルター２２１、５５０、５７６が設置されており、前記空気量調節フィルターの圧縮程度に応じて空気の移動量を調節することができる。
【００７８】
ここで、前記トイレットペーパータイム調節リブ５７１がシール部材（図示せず）を介してリブ着脱溝５７２の内面に密着するので、トイレットペーパータイム調節リブ５７１がリブ着脱溝５７２から離脱する時間を遅延させ、この遅延時間が用便者のトイレットペーパーを捨てる時間である。
【００７９】
前記トイレットペーパータイム調節リブ５７１がリブ着脱溝５７２から離脱すると同時に、昇降案内部材５４０の加圧力が解除されたトイレットペーパータイム調節開閉部材５７４の下降及び開閉復元部材５７５の復元力で移動してトイレットペーパータイム調節孔５７３を閉鎖させながら、小便量調節孔２１８に吸い込まれて移動する空気量に応じて昇降案内部材５４０の復元時間を遅延させるが、前記昇降案内部材５４０の復元時間が作動部３００の作動時間である。
【００８０】
また、図２１〜図２３に示すように、前記人体検知部１００’のシートバネ１３０の復元力で便座１０と人体検知部１００’との間隔が広くなるにつれて、人体検知部１００’に一側が固定された装填解除ワイヤー４１０の緊張力が発生すると、前記装填解除ワイヤー４１０の緊張力で装填解除ワイヤー固定部材４２０及び装填解除ワイヤー支持部材４３０を引っ張って移動させる。
【００８１】
このとき、前記装填解除ワイヤー固定部材４２０の移動で装填解除ワイヤー突起４２２が装填解除部材４４０の装填解除ワイヤー突起４４３を加圧すると、前記装填解除ワイヤー突起４４３は、装填解除ワイヤー突起４２２の傾斜面に沿って上昇すると同時に、装填解除部材４４０の装填解除突起４４２が装填突起４５０から離脱しながら装填解除突起４４２と装填突起４５０との結束力が解除される。
【００８２】
前記装填解除突起４４２と装填突起４５０との結束力が解除されると、保有された装填部材３４０の装填力で、装填案内部材３５０および該装填案内部材３５０に連結された洗浄水供給ワイヤー３０を瞬間的に引いて移動させるが、前記装填案内部材３５０は、装填案内体３５１に突設された移動案内突起３５２が装填ガイド部材３６０のガイド溝３６２に沿ってガイド本体３６１の前方側に移動すると同時に、前記洗浄水供給ワイヤー３０が固定されたサイフォン蓋２０はオーバーフロー管を中心に上方に回転しながらオーバーフロー管の排水口を開放し、開放された排水口を介して水槽内の水が便器本体１０へ供給されるようにする。
【００８３】
前記水槽から便器本体１０に供給される水は、図２４に示すように、前記大小便区分部２００の小便量調節孔２１８を小便量開閉部材２１９が閉鎖させ、空気案内溝２１８’に吸い込まれて移動する空気の移動量及び小便量開閉部材２１９の小便量調節孔２１８の開放で吸い込まれて移動する空気の移動量によって、昇降案内部材５４０が調節体５１０の内側下端部へ移動する時間を調節することができるので、用便者の荷重で移動してシリンダーロッド２１３’と大小便切替部材２１７との接触有無によって区分された用便者の大小便に対応する水を便器本体１０へ供給して用便を洗浄することができる。
【００８４】
上記の過程で大小便の用便が洗浄されると、便座１０と人体検知部１００’との間隔が広くなるにつれて、図２５及び図２６に示すように、レバー３２０を加圧する加圧部材３１０の加圧力が失われると、サイフォン蓋２０は自重で下方回転してオーバーフロー管の排水口を閉鎖させながら、前記サイフォン蓋２０の下降回転で洗浄水供給ワイヤー３０及び装填案内部材３５０を引っ張るが、前記装填案内部材３６０は、装填案内体３５１に突設された移動案内突起３５２が装填ガイド部材３６０のガイド溝３６２に沿ってガイド本体３６１の後方側へ移動する。
【００８５】
このとき、前記装填案内部材３５０は、装填ガイド部材３６０の後方側に移動して、装填突起４５０が装填解除部材４４０の装填解除突起４４２を上方に押し上げながら通過すると同時に、装填突起４５０が装填解除突起４４２を通過すると、装填解除部材４４０の自重で下降して装填解除突起４４２と装填突起４５０とを結束させる。
【００８６】
また、前記装填案内部材３５０が装填ガイド部材３６０の後方側に移動しながら装填部材３４０が自体の弾力で復元されると同時に、装填部材３４０に連結された装填ワイヤー３３０を引っ張るが、前記装填ワイヤー３３０は加圧部材３１０の加圧力が失われたレバー３２０を引き、前記レバー３２０は先端を中心に他側から一側へ回転して復元される。
【００８７】
また、前記人体検知部１００のシートバネ１３０の復元力で便座１０と人体検知部１００との間隔が広くなるにつれてシリンダーワイヤー２１１に緊張力が発生すると、図２７に示すように、前記シリンダーワイヤー２１１の緊張力でシリンダーバネ２１５を圧縮させながらロッドピン２１３及びシリンダーロッド２１３’を引いて移動させるとともに、シリンダーロッド２１３’の移動によってパッキン２１６が結合溝２３１ｂを通過して結合溝２１３ｂ’へ移動するとき、第２キャップ２１４’の内周面と溝２１４ａを開放して空気の流入を案内するのはもちろんのこと、前記ロッドピン２１３及びシリンダーロッド２１３’の移動に伴うシリンダー体２１０の内部空気は空気量調節フィルター２１３ｃ及び第１キャップ２１４を経由して排出される。
【００８８】
また、前記人体検知部１００’のシートバネ１３０の復元力で便座１０と人体検知部１００’との間隔が広くなるにつれて装填解除ワイヤー４１０に緊張力が発生すると、図２８に示すように、前記装填解除ワイヤー４１０の緊張力で装填解除ワイヤー支持部材４３０を引張させながら装填解除ワイヤー固定部材４２０を引いて装填解除ワイヤー突起４２２が装填解除ワイヤー突起４４３の先端に位置し、図２９に示すように、前記便座１０と人体検知部１００、１００’との間隔が広くなるにつれてフック１２０がフック結合孔１２１に係止されながら、次の動作を待機する。
【００８９】
ここで、前記接触部材２１７ａ、２１７ｂは、両方とも磁石であるか、或いは、いずれか一方は磁石でもう一方は金属材であってもよい。
【００９０】
上述の如く、本発明は、たとえ限定された実施例と図面によって説明されたが、本明細書及び請求の範囲で使用された用語や単語は通常的かつ辞典的な意味に限定されて解釈されてはならず、本発明の技術的思想に合致する意味と概念で解釈されなければならない。したがって、本明細書に記載された実施例及び図面に示された構成は、本発明の一実施例に過ぎないもので、本発明の技術的思想をすべて代弁するものではない。よって、本発明の請求の範囲から外れない範疇内において様々な均等物と変形例があり得ることを理解すべきである。
【符号の説明】
【００９１】
１００、１００’    人体検知部
１１０    感知板
１２０    フック
１３０    シートバネ
２００    大小便区分部
２１０    シリンダー体
３００    作動部
３１０    加圧部材
３２０    レバー
３３０    装填ワイヤー
３４０    装填部材
３５０    装填案内部材
３６０    装填ガイド部材
４００    装填解除部
４１０    装填解除ワイヤー
４２０    装填解除ワイヤー固定部材
４３０    装填解除ワイヤー支持部材
４４０    装填解除部材  
４５０    装填突起
５００    調節部  
５１０    調節体
５２０    開閉部材
５３０    離脱防止部材
５４０    昇降案内部材  
５５０    空気量調節フィルター
５６０    ボルト
５７０    トイレットペーパー廃棄時間調節部
【図１】
0006384740.tif 000002
【図２】
0006384740.tif 000003
【図３】
0006384740.tif 000004
【図４】
0006384740.tif 000005
【図５】
0006384740.tif 000006
【図６】
0006384740.tif 000007
【図７】
0006384740.tif 000008
【図８】
0006384740.tif 000009
【図９】
0006384740.tif 000010
【図１０】
0006384740.tif 000011
【図１１】
0006384740.tif 000012
【図１２】
0006384740.tif 000013
【図１３】
0006384740.tif 000014
【図１４】
0006384740.tif 000015
【図１５】
0006384740.tif 000016
【図１６】
0006384740.tif 000017
【図１７】
0006384740.tif 000018
【図１８】
0006384740.tif 000019
【図１９】
0006384740.tif 000020
【図２０】
0006384740.tif 000021
【図２１】
0006384740.tif 000022
【図２２】
0006384740.tif 000023
【図２３】
0006384740.tif 000024
【図２４】
0006384740.tif 000025
【図２５】
0006384740.tif 000026
【図２６】
0006384740.tif 000027
【図２７】
0006384740.tif 000028
【図２８】
0006384740.tif 000029
【図２９】
0006384740.tif 000030